(57)【要約】【課題】断熱性の高い容器と断熱性の低い容器を組み合わせたときに、効果的に断熱性の低い容器を断熱でき、かつ低コストを実現する。【解決手段】上端口部を開閉できる筒形状のランチボックス収納袋１において、該筒形状の筒部２の上下いずれか一方に、高さ方向に伸縮できる延長部６を有する。この延長部６は生地７のみからなり、非延長部６Ｈは断熱部８を有するから、ランチボックス収納袋１の延長部６を伸縮すると、容器１の高さが変わり、その日のおかずにより、収納する容器の自由な組み合わせが可能になる。また、延長部６の生地７のみ部分には断熱性のある容器を配置し、断熱部８を有する非延長部６Ｈには断熱性のない容器を配置することで、断熱性を有するランチボックス収納袋１として使用できる。また、延長部６の開閉のためにスライドファスナ９を設ける。【選択図】図４
2013169370.tif 000002
【特許請求の範囲】
【請求項１】
上端口部を開閉できる筒形状のランチボックス収納袋において、該筒形状の上下いずれか一方に、高さ方向に伸縮できる延長部を有し、該延長部は生地のみからなり、非延長部は断熱部を有することを特徴とするランチボックス収納袋。
【請求項２】
前記延長部を１層の生地で、前記非延長部を２層以上の生地で構成したことを特徴とする請求項１記載のランチボックス収納袋。
【請求項３】
前記延長部が弾性のある軟質材料であることを特徴とする請求項１記載のランチボックス収納袋。
【請求項４】
前記延長部が、ファスナにて開閉して収納されることを特徴とする請求項１〜３のいずれか１項に記載のランチボックス収納袋。
【請求項５】
前記延長部が、複数配置されたことを特徴とする請求項１〜４のいずれか１項に記載のランチボックス収納袋。
【請求項６】
前記延長部に縫い目を入れたことを特徴とする請求項１，２，４又は５記載のランチボックス収納袋。
【発明の詳細な説明】
【技術分野】
【０００１】
本発明は、弁当箱カバー、ランチボックスカバーなどと称するランチボックス収納袋に関するものである。
【背景技術】
【０００２】
従来、複数の容器を袋底部上に並ぶように保持する袋体を有し、袋体内を、容器並び数が減少した状態で並び方向一方側の端部に余剰空間を生じさせられるように設け、袋体の周方向一部分が外側から前記余剰空間に向けて全高に亘って凹まされることにより袋側周が周方向に縮まるようにし、袋体の凹み状態の維持と解除とを持ち手ベルトとガイド紐とで自在に行えるようにした弁当箱収納袋が知られている（例えば特許文献１）。
【０００３】
また、この種の収納袋では、容器として樹脂製の弁当箱やおかず容器を袋体に入れ、この袋体には断熱部を有するものを用いたものがあり、さらに、断熱部を有する収納袋に、断熱部を有する容器と断熱部を有さない樹脂製のおかず容器を収納し、横方向にコンパクト化を図ったものなどもある。
【先行技術文献】
【特許文献】
【０００４】
【特許文献１】特開２００７−３１３２１６号公報
【発明の概要】
【発明が解決しようとする課題】
【０００５】
上記のような収納袋において、断熱性を有した容器には、断熱部を有する収納袋は不必要であり、一方、断熱性を有する容器と断熱性を有しない容器を組み合わせたときには、断熱性を有しない容器のために、収納袋全体を断熱部を有するものにしなければならないため、不経済であった。
【０００６】
解決しようとする問題点は、上記の問題を鑑みて、断熱性の高い容器と断熱性の低い容器を組み合わせたときに、効果的に断熱性の低い容器を断熱でき、かつ低コストを実現するものである。
【課題を解決するための手段】
【０００７】
請求項１のランチボックス収納袋は、上端口部を開閉できる筒形状のランチボックス収納袋において、該筒形状の上下いずれか一方に、高さ方向に伸縮できる延長部を有し、該延長部は生地のみからなり、非延長部は断熱部を有することを特徴とする。
【０００８】
請求項２のランチボックス収納袋は、前記延長部を１層の生地で、前記非延長部を２層以上の生地で構成したことを特徴とする。
【０００９】
請求項３のランチボックス収納袋は、前記延長部が弾性のある軟質材料であることを特徴とする。
【００１０】
請求項４のランチボックス収納袋は、前記延長部が、ファスナにて開閉して収納されることを特徴とする。
【００１１】
請求項５のランチボックス収納袋は、前記延長部が、複数配置されたことを特徴とする。
【００１２】
請求項６のランチボックス収納袋は、前記延長部に縫い目を入れたことを特徴とする。
【発明の効果】
【００１３】
請求項１の発明によれば、ランチボックス収納袋の延長部を伸縮すると、その日のおかずにより、容器の自由な組み合わせが可能になる。また、延長部の生地のみ部分には断熱性のある容器を配置し、断熱部を有する非延長部には断熱性のない容器を配置することで、断熱性を有するランチボックス収納袋として使用できる。
【００１４】
請求項２の発明によれば、伸縮する延長部を１重の布とすることで、収納部内での折り畳みが簡易になる。また、非延長部を複数層とすることで、断熱性の高い収納部となる。
【００１５】
請求項３の発明によれば、伸縮する延長部に弾性のあるシリコーンゴムやネオプレーン素材を使用し、延長部を伸縮させ、収納袋内の容器を高さ方向で押さえ込み、ガタツキを防止させることができる。そして、高さが異なる容器でも収納袋内にジャストフィット可能となる。
【００１６】
請求項４の発明によれば、ファスナの開閉により、容易に延長部を伸縮することができる。
【００１７】
請求項５の発明によれば、伸縮する延長部を複数設定することで、収納袋の全高の調整がより大きくなり、容器の組み合わせ範囲が広がる。
【００１８】
請求項６の発明によれば、前記延長部に縫い目を入れることで、延長部の収容がより容易になる。
【図面の簡単な説明】
【００１９】
【図１】本発明の実施例１を示す延長部収納時の収納袋と容器の斜視図である。
【図２】同上面蓋部を開いた状態の斜視図である。
【図３】同延長部収納時の筒部の要部の断面図である。
【図４】同一段延長時の筒部の要部の断面図である。
【図５】同一段延長時の収納袋と容器の斜視図である。
【図６】同二段延長時の収納袋と容器の斜視図である。
【図７】同上面蓋部を開いた状態で延長部収納時の収納袋の正面説明図である。
【図８】同上面蓋部を開いた状態で一段延長時の収納袋の正面説明図である。
【図９】本発明の実施例２を示す上面蓋部を開いた状態の収納袋の正面説明図である。
【図１０】本発明の実施例３を示す上面蓋部を開いた状態の収納袋の正面説明図である。
【図１１】本発明の実施例４を示す上面蓋部を開いた状態の収納袋の正面説明図である。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２１】
図１〜図８において、ランチボックス収納袋１は、筒形状の筒部２と、この筒部２の底面を塞ぐ底面部３と、開口する上端口部４と、この上端口部４を開閉する上面蓋部５とを備え、上端口部４は、筒部２の上面の上面開口部４Ａと、この上面開口部４Ａの前側に連続して筒部２の上部側部の一部とが開口した側部開口部４Ｂとを備え、側部開口部４Ｂは斜めに形成されている。また、収納袋１は、生地などの可撓性シート状物から構成され、筒部２に底面部３と上面蓋部５が縫着されている。尚、上面蓋部５は上面開口部４Ａの後側に縫着され、上面蓋部５を開くことにより上端口部４が全面的に開口する。
【００２２】
筒部２，底面部３及び上面蓋部５を構成するシート状物は、外装材たる生地７と、この生地７の内側又は外側に設けられた断熱部８とを積層にしてなり、生地７は布などからなり、断熱部８は、生地７より断熱性が高い生地などからなり、断熱部８の材質は、発泡ポリスチレン，発泡ウレタン，発泡ポリエチレン，発泡ポリプロピレン，グラスウールなどからなり、または、断熱部８は真空断熱パネルや複数枚の重ね合わせた布からなり、複数枚の重ね合わせた布は前記生地７より断熱性が高い。尚、この例では、断熱部８は生地７の内側に配置されている。
【００２３】
筒部２には、この例では底面部３側に延長部６を設けており、この延長部６は筒形状をなし、筒部２の下部に２段に設けられ、延長部６は前記生地７などからなり、この生地７に比べて前記筒部２のシート状物は断熱性が高い。また、各段の延長部６に対応してファスナたるスライドファスナ９が設けられている。このスライドファスナ９は、テープの縁部に噛合エレメント10を取り付けた一対のファスナテープ11，11Ａと、これら一対のファスナテープ11，11Ａの噛合エレメント10，10を係合及び係合解除するスライダ（図示せず）とを備える。また、スライドファスナ９は筒部２の全周に渡って設けられており、前記スライダにより一対のファスナテープ11，11Ａの噛合エレメント10，10の係合を解除すると、ファスナテープ11，11Ａ同士が分離して開き、筒部２内に収納していた延長部６が現われ、一方、収納する際には、ファスナテープ11，11Ａの端部を合わせてスライダを操作すると、噛合エレメント10，10同士が係合して一対のファスナテープ11，11Ａを連結することができる。そして、延長部６以外の筒部２の部分が非延長部６Ｈとなり、この非延長部６Ｈには断熱部８が設けられている。尚、この例では、ファスナとしてスライドファスナ９を例示したが、面ファスナなどを用いてもよい。
【００２４】
図３及び図４などに示すように、底面部３の周囲に一方のファスナテープ11と下段の延長部６の下部を重ねて縫い目である縫着部12により取り付け、この下段の延長部６の上部に他方のファスナテープ11Ａを縫着部12により取り付け、また、上段の延長部６の下部に一方のファスナテープ11を縫着部12により取り付け、この上段の延長部６の上部に他方のファスナテープ11Ａを縫着部12により取り付ける。尚、下段のファスナテープ11Ａと上段のファスナテープ11は隣接して配置されている。また、この例では、延長部６は筒部２の生地７を用いており、この生地７は筒部２の上下方向に連続したものが用いられ、生地７は筒部２の高さ方向の全長に連続して配置されている。そして、スライドファスナ９を閉じた状態で、ファスナテープ11，11Ａ間の延長部６を筒部２の内側に折畳んで収納する。
【００２５】
前記収納袋１内には、単数又は複数の容器が選択的に収納される。図１及び図２では、断熱性が低い非断熱性の容器13，13を重ねて収納し、この容器13は合成樹脂などからなり、有底筒形の容器本体14と、この容器本体14の上部開口を開閉する蓋体15とを備える。図５では、断熱性の高い有底筒形の容器16の上に断熱性が低い容器13を重ねて収納し、前記容器16は断熱性が高い容器本体17と、この容器本体17の上部開口を開閉する蓋体18とを備え、前記容器本体17は、金属製からなる外装部と内装部との間に断熱構造たる真空断熱層を有するものである。また、断熱性が低い容器13は、有底筒形の容器本体14と、この容器本体14の上部開口を開閉する蓋体15とを備える。そして、断熱性が高い容器16は断熱性が低い容器13，13に比べて断熱性が高い。尚、以下、断熱性の高い容器16に比べて断熱性の低い容器13を非断熱性の容器という。また、蓋体15，17は上部に容器を重ね易いように、上面がほぼ平坦に形成されている。
【００２６】
また、前記上面蓋部５はスライドファスナ９により前記上端口部４を開閉可能に設けられており、上面蓋部５の周縁に一方のファスナテープ11を縫着部12により取り付け、他方のファスナテープ11Ａを上端口部４の周縁に縫着部12により取り付けている。さらに、筒部２の上下左右には、ベルト19の両端が連結されている。
【００２７】
次に、前記収納袋１の使用方法につき説明する。図１及び図２の延長部収納時に示すように、上，下段のスライドファスナ９，９を閉じて内側に上，下段の延長部６，６を折畳んで収納した状態で、収納袋１の筒部２に非断熱性の容器13，13を二段に重ねて入れ、上面蓋部５を閉じて収納する。この場合、筒部２，底面部３及び上面蓋部５が断熱部８を有するから、収納した非断熱性の容器13，13の内部を外気温に影響なく、一定温度に保つことができる。
【００２８】
次に、図５の一段延長時に示すように、上，下段のいずれか一方のスライドファスナ９を開き、ファスナテープ11，11Ａ同士を分離し、ファスナテープ11，11Ａを上下に離して間の延長部６を筒部２に沿わせと、延長部６の分だけ筒部２が高くなる。そして、筒部２の下部に断熱性が高い容器16を入れ、この容器16の上に非断熱性の容器13を重ね、上面蓋部５を閉じて収納する。尚、容器16の高さは容器13の高さに比べて高い。この場合、延長部６は容器本体17の高さより低く、延長部６の上部の他方のファスナテープ11Ａは、収納状態の容器本体17より低い位置にある。したがって、断熱性が高い容器16の周囲に断熱性を有さない延長部６が位置し、非断熱性の容器本体14の周囲には断熱部８を有する筒部２が位置するから、容器13の内部を外気温に影響なく、一定温度に保つことができる。
【００２９】
また、図６の二段延長時に示すように、上，下段の両方のスライドファスナ９を開き、上，下段の延長部６，６を延長し、これら延長部６，６内には断熱性が高い容器16を収納し、この容器16の上に、断熱性が低い容器13，13を二段に重ねて収納する。こうすると、二段の容器13，13の周囲は断熱部８を有する筒部２により覆われ、二段の容器13，13の内部が保温され、容器16は容器本体17の断熱性により内部が保温される。尚、底面部３から上段の延長部６の上部までの高さが高いか、ほぼ等しくすることが好ましく、図６では、高さがほぼ等しい。
【００３０】
尚、図１及び図２の延長部収納時において、収納袋１の高さに対応する１個の非断熱性の容器を収納してもよいし、図５の一段延長時に収納袋１の高さに対応する１個の断熱性に優れた容器を収納してもよいし、図６の二段延長時に収納袋１の高さに対応する１個の断熱性に優れた容器を収納したり、断熱性に優れた容器16の上に、容器13の２個分の高さを有する１個の非断熱性の容器を収納したりして使用することもできる。
【００３１】
また、延長部６に弾力性を有する材料を用いた場合、延長部６を開いた状態で、１個の容器、或いは重ね合わせた容器の高さが収納袋１より僅かに高くなるように容器を選択すれば、延長部６をその弾性により伸ばして上面蓋部５を閉めると、延長部６の弾性復元力により、上面蓋部５と底面部３の間で容器が押さえ込まれた状態で収納される。
【００３２】
このように本実施例では、収納袋１は可撓性を有するシート状物からなり、筒部２には、その高さ方向を分割するように延長部６と非延長部６Ｈとを設け、延長部６はスライドファスナ９により開閉し、スライドファスナ９を閉めた状態では延長部６が内部に収納され、スライドファスナ９を全開にした状態では延長部６が延びて筒部２の高さを調整でき、前記非延長部６Ｈのシート状物は断熱部８を有し、非延長部６Ｈが延長部６に比べて断熱性が高いから、断熱性を有する容器16には、断熱性を有する収納袋１は不必要で、断熱性を有する容器16と断熱性を有しない容器13を組み合わせたときに、効果的に断熱性の無い容器のみ断熱でき、かつ低コストが実現できる。
【００３３】
また、延長部６に断熱部８の無い生地７を用いることで、折畳んだ状態から伸ばす伸縮が容易となり、延長部６を収納することによりコンパクト化が可能になる。さらに、延長部６に断熱部８の無い生地７を設けることで、収納袋１の軽量化が実現できる。また、断熱部８の無い生地７と断熱部８を有する非延長部６Ｈの材料や色を変えることで、機能性を有しつつデザインのバリエーションを広げることができる。
【００３４】
さらに、容器16は、少なくとも容器本体17が、容器の断熱部たる断熱構造を備えるから、内部の保温・保冷を行うことができ、さらに、断熱構造を有する蓋体18を備えてもよい。また、筒部２の高さ方向中央に延長部６を設けた場合は、この延長部６により断熱性に優れた容器16を覆い、この容器16の上下に非断熱性の容器13，13を配置すればよい。
【００３５】
また、断熱性に優れた容器16と非断熱性の容器13をそれぞれ少なくとも１個収納しながら、非断熱性の容器13の内部を断熱部８により保温することができる。さらに、生地７は筒部２の高さ方向の全長に連続して配置されているから、必要部分に断熱部８を設ければよく、収納袋１を安価に提供できる。また、底面部３の周囲と、一方のファスナテープ11と、下段の延長部６の下部の三者を重ねて共通する縫着部12により一体化したから、製造工程の簡略化を図ることができる。
【００３６】
以上のように、上端口部４を開閉できる筒形状のランチボックス収納袋１において、該筒形状の筒部２の上下いずれか一方に、この例では下に高さ方向に伸縮できる延長部６を有し、該延長部６は生地７のみからなり、非延長部６Ｈは断熱部８を有するから、ランチボックス収納袋１の延長部６を伸縮すると、その日のおかずにより、容器13，13，16の自由な組み合わせが可能になる。また、延長部６の生地７のみの部分には断熱性のある容器16を配置し、断熱部８を有する非延長部６Ｈには断熱性のない容器13，13を配置することで、断熱性を有するランチボックス収納袋１として使用できる。
【００３７】
また、延長部６を１層の生地７で、非延長部６Ｈを２層以上の生地で構成したから、伸縮する延長部６を１重の布とすることで、収納部の折り畳みが簡易になる。また、非延長部６Ｈを複数層とすることで、断熱性の高い収納部となる。
【００３８】
さらに、延長部６が弾性ある軟質材料であり、伸縮する延長部６に弾性のあるシリコーンゴムやネオプレーン素材を使用し、延長部６を伸縮させ、収納袋１内の容器を高さ方向で押さえ込み、ガタツキを防止させることができる。そして、高さが異なる容器でも収納袋内にジャストフィットすることが可能となる。
【００３９】
さらにまた、延長部６が、ファスナであるスライドファスナ９にて開閉して収納されるから、スライドファスナ９の開閉により、容易に延長部６を伸縮することができる。
【００４０】
しかも、延長部６が、複数配置されたから、伸縮する延長部６を複数設定することで、収納袋１の全高の調整がより大きくなり、容器13，13，16の組み合わせ範囲が広がる。
【００４１】
また、延長部６に縫い目たる縫着部12を入れたから、縫着部12の位置で延長部６を畳み易くなり、延長部６の収納が容易となる。
【実施例２】
【００４２】
以下に、他の実施例について説明する。尚、前記実施例１と同一部分には同一符号を付し、その詳細な説明を省略する。
【００４３】
図９に示す実施例２では、筒部２の上端口部４側の上部の延長部６を設け、筒部２の底面部３側に下部の延長部６を設けている。
【００４４】
そして、延長部収納時においては、非断熱性の容器13，13を重ねて収納し、下段の延長部６を延長した一段延長時においては、断熱性に優れた容器16の上に非断熱性の容器13を重ねて収納し、上、下の延長部６，６を延長した二段延長時においては、高さ方向中央の非延長部６Ｈに非断熱性の容器13が来るように、この容器13の上下に断熱性に優れた容器16，16を配置して収納袋１に収納して使用することができる。また、この例では、二段延長時に２個の断熱性に優れた容器16，16を収納する場合に適したものとなる。
【実施例３】
【００４５】
以下に、他の実施例について説明する。尚、前記実施例１と同一部分には同一符号を付し、その詳細な説明を省略する。
【００４６】
図１０に示す実施例３では、筒部２の上端口部４側に上，下段の延長部６，６を設けている。また、底面部３には筒部２の下部を一体に設けている。
【００４７】
そして、延長部収納時においては、非断熱性の容器13，13を重ねて収納し、上，下段の一方の延長部６を延長した一段延長時においては、非断熱性の容器13の上に断熱性に優れた容器16を重ねて収納する。
【００４８】
また、上、下段の延長部６，６を延長した二段延長時においては、２つの非断熱性の容器13，13を重ね合わせた上に、断熱性に優れた容器16を重ねて収納し、この場合、断熱性に優れた容器16は、上，下段の延長部６，６及びこの上の非延長部６Ｈにより覆われ、２つの非断熱性の容器13，13は、断熱部８を有する非延長部６Ｈにより覆われる。また、この例では、上部に断熱性に優れた容器16を収納する場合に適したものとなる。
【実施例４】
【００４９】
図１１に示す実施例４では、筒部２の上端口部４側に上，下段の延長部６，６を設け、さらに、筒部２の底面部３側に下部の延長部６を設け、筒部２に三段の延長部６，６，６が設けられている。
【００５０】
そして、延長部収納時においては、非断熱性の容器13，13を重ねて収納し、上，下段の一方の延長部６を延長した一段延長時においては、非断熱性の容器13の上に断熱性に優れた容器16を重ねて収納する。
【００５１】
また、上、下段の延長部６，６を延長した二段延長時においては、２つの非断熱性の容器13，13を重ね合わせた上に、断熱性に優れた容器16を重ねて収納し、この場合、断熱性に優れた容器16は、上，下段の延長部６，６及びこの上の非延長部６Ｈにより覆われ、２つの非断熱性の容器13，13は、断熱部８を有する非延長部６Ｈにより覆われる。
【００５２】
さらに、三段の延長部６，６，６を延長した三段延長時においては、断熱性に優れた容器16の上に１つ又は２つの非断熱性の容器13を重ね合わせ、これら非断熱性の容器13，13の上に、断熱性に優れた容器16を重ねて収納し、この場合、下の断熱性に優れた容器16は、底面部３側の延長部６により覆われ、非断熱性の容器13は、高さ方向中央の断熱部８を有する非延長部６Ｈにより覆われ、上の断熱性を有する容器16は、二段の延長部６，６及びこの上の非延長部６Ｈにより覆われる。また、この例では、三段の延長部６を選択的に伸縮して使用することにより、使い勝手に優れたものとなる。
【００５３】
尚、図９〜図１１の例において、最上部に位置する延長部６の上の非延長部６Ｈの高さに対応した非断熱性の容器13を用意し、この容器13をその上の非延長部６Ｈにより覆うようにしてもよく、例えば、図９の例で二段延長時には、断熱性に優れた容器16の上に非断熱性の容器13を重ね、この容器の上に断熱性を有する容器16を重ね、この容器16の上部は上の延長部６の上部に位置し、その容器16の上に、最上部に位置する延長部６の上の非延長部６Ｈの高さに対応した非断熱性の容器13を重ねて用いることができる。
【産業上の利用可能性】
【００５４】
以上のように本発明に係るランチボックス収納袋は、各種の用途に適用できる。
【符号の説明】
【００５５】
１  収納袋
２  筒部
３  底面部
４  上端口部
６  延長部
６Ｈ  非延長部
７  生地
８  断熱部
９  スライドファスナ（ファスナ）
12  縫着部（縫い目）
13  容器（断熱性の低い容器・非断熱性の容器）
16  容器（断熱性の高い容器）
【図１】
2013169370.tif 000003
【図２】
2013169370.tif 000004
【図３】
2013169370.tif 000005
【図４】
2013169370.tif 000006
【図５】
2013169370.tif 000007
【図６】
2013169370.tif 000008
【図７】
2013169370.tif 000009
【図８】
2013169370.tif 000010
【図９】
2013169370.tif 000011
【図１０】
2013169370.tif 000012
【図１１】
2013169370.tif 000013